(57)【要約】【課題】線状のヒータを用いてもコタツ内部を均等に加熱できると共に、支持板及び天板の温度上昇も効果的に抑制できるようにする。【解決手段】ヒータユニット１において、ヒータ５を４本用いて支持板２の下面全体に分散配置する一方、反射板４を、平面視で支持板２と同じ大きさ及び形状として、支持板２の下方で所定の隙間が形成される状態で支持し、隙間によって支持板２と反射板４との間に形成される空間Ｓを、反射板４の側板８に設けた長孔９によって外部と連通させた。【選択図】図２
2011237129.tif 000002
【特許請求の範囲】
【請求項１】
コタツの天板の下面に取り付けられる支持板と、その支持板の下方に反射板を介して支持される線状のヒータとを備えるヒータユニットであって、
前記ヒータを、少なくとも４本用いて前記支持板の下面全体に分散配置する一方、
前記反射板を、平面視で前記支持板と同じ大きさ及び形状として、前記支持板との間に所定の隙間が形成される状態で支持し、前記隙間によって前記支持板と反射板との間に形成される空間を、前記反射板の外周において外部と連通させたことを特徴とするヒータユニット。
【請求項２】
前記ヒータを所定間隔をおいて平行に配置したことを特徴とする請求項１に記載のヒータユニット。
【請求項３】
前記反射板及びヒータを、前記支持板に突設した複数の突起に対して取り付けることを特徴とする請求項１又は２に記載のヒータユニット。
【請求項４】
天板の下面に、請求項１乃至３の何れかに記載のヒータユニットを設けてなるコタツ。
【発明の詳細な説明】
【技術分野】
【０００１】
本発明は、コタツの熱源として用いられるヒータユニットと、そのヒータユニットを用いたコタツとに関する。
【背景技術】
【０００２】
コタツに用いられるヒータユニットは、例えば特許文献１に示すように、コタツの天板の下面中央に取り付けられる支持板の下側に、石英管にニクロム線やカーボン等の発熱体を封入してなるヒータを備えると共に、ヒータと支持板との間に金属製の反射板を設けている。よって、通電によってヒータが発熱すると、輻射熱が反射板によって下向きに放射されてコタツ内部が暖められる。
【先行技術文献】
【特許文献】
【０００３】
【特許文献１】特開２００２−３１０５０６号公報
【発明の概要】
【発明が解決しようとする課題】
【０００４】
このようなヒータユニットにおいては、ヒータは平面内で線状に配置されるため、反射板を設けてもコタツ内部の温度が部分的に高くなりやすく、例えばコタツ内部にコタツ布団が巻き込まれた状態で長時間使用されるようなことが繰り返されると、布団が変色したりするおそれがある。
また、使用によって反射板の温度が上昇するため、反射板からの伝熱によって支持板の温度も上昇し、これが天板にも伝わって天板に反りや割れを生じさせたりするおそれもあった。
【０００５】
そこで、本発明は、線状のヒータを用いてもコタツ内部を均等に加熱できると共に、支持板及び天板の温度上昇も効果的に抑制できるヒータユニット及びコタツを提供することを目的としたものである。
【課題を解決するための手段】
【０００６】
上記目的を達成するために、請求項１に記載の発明は、コタツの天板の下面に取り付けられる支持板と、その支持板の下方に反射板を介して支持される線状のヒータとを備えるヒータユニットであって、ヒータを、少なくとも４本用いて支持板の下面全体に分散配置する一方、反射板を、平面視で支持板と同じ大きさ及び形状として、支持板との間に所定の隙間が形成される状態で支持し、隙間によって支持板と反射板との間に形成される空間を、反射板の外周において外部と連通させたことを特徴とするものである。
請求項２に記載の発明は、請求項１の構成において、ヒータを所定間隔をおいて平行に配置したことを特徴とするものである。
請求項３に記載の発明は、請求項１又は２の構成において、反射板及びヒータを、支持板に突設した複数の突起に対して取り付けることを特徴とするものである。
上記目的を達成するために、請求項４に記載の発明は、コタツであって、天板の下面に、請求項１乃至３の何れかに記載のヒータユニットを設けてなることを特徴とする。
【発明の効果】
【０００７】
請求項１及び４に記載の発明によれば、線状のヒータを用いてもコタツ内部を均等に加熱できると共に、支持板及び天板の温度上昇も効果的に抑制できる。よって、コタツ内部にコタツ布団が巻き込まれた状態で長時間使用されるようなことがあっても、布団が変色したりするおそれがなく、また、天板に反りや割れが生じたりすることもなくなる。
請求項２に記載の発明によれば、請求項１の効果に加えて、輻射熱が面状に放射され、局部的な温度上昇がより効果的に低減される。
請求項３に記載の発明によれば、請求項１又は２の効果に加えて、反射板の取付けと同時に突起によって支持板との間に隙間が形成される合理的な構成となると共に、一度の組み付け作業で反射板とヒータとが同時に固定されて組み付け作業も簡略化する。
【図面の簡単な説明】
【０００８】
【図１】ヒータユニットの説明図で、（Ａ）が底面、（Ｂ）が正面、（Ｃ）が右側面をそれぞれ示す。
【図２】ヒータユニットの断面図である。
【図３】反射板部分の拡大断面図である。
【発明を実施するための形態】
【０００９】
以下、本発明の実施の形態を図面に基づいて説明する。
図１，２に、コタツに設けられるヒータユニットの一例を示す。ヒータユニット１は、コタツの天板の下面中央にネジ止めされる平面視正方形の支持板２と、その支持板２に下方から組み付けられる平面視正方形で、上方を開口した扁平箱状となるカバー３とを備え、支持板２の下方に反射板４を介して４本のヒータ５，５・・が設けられている。ここでは支持板２及びカバー３はガルバスター鋼板、反射板４はアルミニウム板で形成されている。
【００１０】
ここで用いられる反射板４は、支持板２と同じ大きさの平面視正方形で、支持板２に突設された２列８個の突起６，６・・に対してネジ７で固定されることにより、支持板２との間に突起６の高さ分の隙間を有した位置に支持されている。反射板４の左右の側縁には、支持板２と反射板４との間を閉塞する側板８，８がそれぞれ設けられているが、この側板８には長手方向に複数の長孔９，９・・が直線状に穿設されて、支持板２と反射板４との間の空間Ｓを外部へ連通させている。
【００１１】
また、ヒータ５は、石英管の内部にニクロム線を封入した石英管ヒータで、各突起６の位置でネジ７を利用して固定される取付片１０，１０間に両端が支持されて、支持板２及び反射板４の下方で所定間隔をおいて互いに平行に配設されている。これにより反射板４は、左右２本ずつ振り分けられるヒータ５，５に合わせて、中央が下方へ突出する山形に、左右が側縁へ行くほど下側へ向けて高くなる傾斜状に折曲形成されている。
さらに、ヒータ５は、左右の２本ずつが直列に接続されて、反射板４の下面で正面中央に設けたコントローラ１１に電気的接続されている。コントローラ１１には、サーモスタットや温度ヒューズが内設されると共に、温度調整つまみ１２が設けられて、ヒータ５への通電量を任意に調整可能となっている。
【００１２】
そして、カバー３は、ヒータ５の正面及び背面側を閉塞する前板部１３及び後板部１４と、底面及び左右の側面を閉塞するコ字状に形成され、表面に電着植毛処理が施された格子状の本体部１５とからなり、前板部１３及び後板部１４において、反射板４より下方部分には、横向きに複数の長孔１６，１６・・が穿設されている。これにより、支持板２と反射板４との間の空間Ｓの前後は前板部１３と後板部１４とで閉塞されることになる。１７は、前板部１３において温度調整つまみ１２に隣接して設けられた電源コードの接続部である。
【００１３】
以上の如く構成されたヒータユニット１においては、コタツの天板の下面中央に支持板２をネジ止め固定することで、図３に示すように天板２０から下方へ突出した状態で取り付けられる。この状態で電源コードから電源が供給されてヒータ５に通電されると、ヒータ５が発熱し、輻射熱が直接下方へ或いは反射板４に反射して下向きに放射され、コタツ内が暖められる。このとき、ヒータ５は反射板４の全面で分散配置されているため、輻射熱は面状に放射されて局部的な温度上昇が生じにくくなり、コタツ内部は均等に加熱される。
【００１４】
一方、ヒータ５の発熱により、反射板４の温度も上昇することになるが、支持板２との間は突起６及び左右の側板８，８を除いて非接触となる空間Ｓ（図３に示すハッチング部分）が形成されているため、反射板４の熱が支持板２へ伝わりにくくなり、支持板２の温度上昇が抑えられる。特に、側板８に設けた長孔９により、空間Ｓ内の熱気が放出されることになるため、支持板２への伝熱はより効果的に抑制される。従って、天板２０への伝熱量も少なくなって温度上昇が防止されることになる。
【００１５】
このように、上記形態のヒータユニット１及びコタツによれば、ヒータ５を４本用いて支持板２の下面全体に分散配置する一方、反射板４を、平面視で支持板２と同じ大きさ及び形状として、支持板２との間に所定の隙間が形成される状態で支持し、隙間によって支持板２と反射板４との間に形成される空間Ｓを、反射板４の外周において外部と連通させたことで、線状のヒータ５を用いてもコタツ内部を均等に加熱できると共に、支持板２及び天板２０の温度上昇も効果的に抑制できる。よって、コタツ内部にコタツ布団が巻き込まれた状態で長時間使用されるようなことがあっても、布団が変色したりするおそれがなく、また、天板２０に反りや割れが生じたりすることもなくなる。
【００１６】
特にここでは、ヒータ５を所定間隔をおいて互いに平行に配置しているので、輻射熱が面状に放射され、局部的な温度上昇がより効果的に低減される。
また、反射板４及びヒータ５を、支持板２に突設した複数の突起６に対して取り付けることで、反射板４の取付けと同時に突起６によって支持板２との間に隙間が形成される合理的な構成となると共に、一度の組み付け作業で反射板４とヒータ５とが同時に固定されて組み付け作業も簡略化する。
【００１７】
なお、ヒータの数は５本以上であってもよく、配置形態も平行配置に限らず、支持板の下面全体に分散配置される形態であれば、平面視で四角形状に配置したり、同じく平面視で複数の縦方向と複数の横方向とを隣接させたり等、適宜変更可能である。勿論ヒータ自体の形態も、ニクロム線以外にカーボンを封入するもの等であっても採用できる。
また、上記形態では、支持板に突設した突起に対して反射板とヒータとを取り付けるようにしているが、互いに別々にして、例えば突起を支持板の四隅と中央とに設けて反射板の取付けと隙間の設定とにのみ利用し、ヒータは反射板の下面で突起と別の位置に溶接等した取付片を用いて取り付ける等の他の構造を採用して差し支えない。
【００１８】
さらに、支持板と反射板との隙間は、支持板に突設した突起を用いる場合に限らず、逆に反射板に突設した突起を用いたり、支持板に切り起こし形成した支持片を反射板に取り付けたり、支持板と反射板との間に別体のスペーサを介在させたりすることで設定可能である。
一方、反射板の外周における外部との連通形態も、長孔に変えて小孔や格子状としたり、側面を完全に開放したり等、熱気の開放が可能であれば形態は問わない。反射板自体の折曲形状もヒータの配置形態に合わせて適宜変更すればよい。
【００１９】
その他、ヒータユニットの平面形状は正方形に限らず、長方形等の他の形状であってもよい。この場合、支持板及び反射板の形状もこれに合わせて変更される。
また、カバーも、支持板と反射板との間の隙間に当たる前板部と後板部とにも透孔を穿設する等して、反射板における前後の外周においても外部と連通させるようにしたり、前板部や後板部をなくしてカバー全体を格子状やメッシュ状としたりしても差し支えない。
【符号の説明】
【００２０】
１・・ヒータユニット、２・・支持板、３・・カバー、４・・反射板、５・・ヒータ、６・・突起、７・・ネジ、８・・側板、９，１６・・長孔、１１・・コントローラ、１３・・前板部、１４・・後板部、１５・・本体部、２０・・天板、Ｓ・・空間。
【図１】
2011237129.tif 000003
【図２】
2011237129.tif 000004
【図３】
2011237129.tif 000005